(57)【要約】【課題】簡易な構成の初期滑り検出手段を提案する。【解決手段】感圧導電シート３Ａを介して接触部材５が接触受け部材２に接触したとき、感圧導電シート３Ａから送出される検出信号Ｓ１を受けて感圧導電シート３Ａの抵抗値の変化に基づいて、接触部材５の滑り変位発生直前に生じた高周波波形成分ＶｐＸが所定の閾値を超えたとき滑り変位発生直前に初期滑りが発生したことを確認するようにしたことにより、滑り検出部分の構成が一段と小型・軽量・薄型の滑り検出装置を実現できる。【選択図】図９
2010271242.tif 000002
【特許請求の範囲】
【請求項１】
接触部材の接触を受ける接触受け部材上に設けた感圧導電シートを有する滑り検出部材と、
上記感圧導電シートを介して上記接触部材が上記接触受け部材に押圧されたとき、上記感圧導電シートから送出される検出信号を受けて上記感圧導電シートの抵抗値の変化に基づいて、上記接触部材の滑り変位発生直前に生じた高周波波形成分を含む滑り検出信号を形成する滑り検出信号形成回路と、
上記滑り変位発生直前に生じた高周波波形成分が所定の閾値を超えたとき上記滑り変位発生直前に初期滑りが発生したことを表す滑り確認信号を送出する滑り検出演算部と
を具えることを特徴とする滑り検出装置。
【請求項２】
上記滑り検出部材は、上記感圧導電シートの片面又は両面に電極板シートを設けることにより、上記電極シートから上記感圧導電シートの抵抗値の変化を表す上記検出信号を送出する
ことを特徴とする請求項１に記載の滑り検出装置。
【請求項３】
上記滑り検出演算部は、上記滑り検出信号を離散ウェーブレット変換処理する離散ウェーブレット変換手段を有する
ことを特徴とする請求項１に記載の滑り検出装置。
【請求項４】
接触部材の接触を受ける接触受け部材上に設けた滑り検出部材の感圧導電シートを介して上記接触部材が上記接触受け部材に接触したとき、上記感圧導電シートから送出される検出信号を受けて上記感圧導電シートの抵抗値の変化に基づいて、上記接触部材の滑り変位発生直前に生じた高周波波形成分を含む滑り検出信号を滑り検出信号形成回路において形成し、
上記滑り変位発生直前に生じた高周波波形成分が所定の閾値を超えたとき上記滑り変位発生直前に初期滑りが発生したことを表す滑り確認信号を滑り検出演算部から送出する
ことを特徴とする滑り検出方法。
【発明の詳細な説明】
【技術分野】
【０００１】
本発明は滑り検出装置及び方法に関し、特に滑り検出表面に接触している静止物体の滑り開始動作を確実に検出しようとするものである。
【背景技術】
【０００２】
従来、感圧導電センサを用いて滑り検出表面に接触する物体から付与される圧縮方向の圧力の分布を検出することにより、当該滑り検出表面に接触する物体の動きの感触を判知するようにした触覚センサが提案されている（特許文献１参照）。
【０００３】
また感圧導電センサとしては、非導電性エラストマや合成ゴム中に、導電性粒子を分散させた変形導電性材料に対する圧力変化を、電気抵抗値の変化として検出するものが提案されている（特許文献２参照）。
【先行技術文献】
【特許文献】
【０００４】
【特許文献１】特開２００８−１２８９４０公報
【特許文献２】特開２０００−２９９０１６公報
【発明の概要】
【発明が解決しようとする課題】
【０００５】
ところで、滑り検出表面の感触として、接触する物体の滑り開始時の動作を高い精度で、しかも小型・軽量・薄型の構成によって検出することができれば、例えばロボットのハンドのように、物体との接触面積が小さい指が物体に触れた際の感覚を実現できることにより、適切な把持力（強すぎたり、弱すぎたりしない）により物体を把持し得る把持手段を実現できると考えられる。
【０００６】
本願発明は以上の点を考慮してなされたもので、滑り開始の状態を、小型・軽量・薄型の構成によって検出することができるようにした滑り検出装置及び方法を提案しようとするものである。
【課題を解決するための手段】
【０００７】
かかる課題を解決するため本発明においては、接触部材５の接触を受ける接触受け部材２上に設けた感圧導電シート３Ａを有する滑り検出部材３と、感圧導電シート３Ａを介して接触部材５が接触受け部材２に押圧されたとき、感圧導電シート３Ａから送出される検出信号Ｓ１を受けて感圧導電シート３Ａの抵抗値の変化に基づいて、接触部材５の滑り変位発生直前に生じた高周波波形成分ＶｐＸを含む滑り検出信号Ｖｐを形成する滑り検出信号形成回路３１と、滑り変位発生直前に生じた高周波波形成分ＶｐＸが所定の閾値を超えたとき滑り変位発生直前に初期滑りが発生したことを表す滑り確認信号Ｓ２を送出する滑り検出演算部３６とを設けるようにする。
【発明の効果】
【０００８】
本発明によれば、感圧導電シートを介して接触部材が接触受け部材に接触したとき、感圧導電シートから送出される検出信号を受けて感圧導電シートの抵抗値の変化に基づいて、接触部材の滑り変位発生直前に生じた高周波波形成分が所定の閾値を超えたとき滑り変位発生直前に初期滑りが発生したことを確認するようにしたことにより、滑り検出部分の構成が一段と小型・軽量・薄型の滑り検出装置を実現できる。
【図面の簡単な説明】
【０００９】
【図１】本発明の一実施の形態による滑り検出装置の全体構成を示す略線的ブロック図である。
【図２】図１の接触検出部の構成を示す略線図である。
【図３】図２の感圧導電シートの説明に供する略線図である。
【図４】図２の電極板シートの詳細構成を示す略線的平面図である。
【図５】図１の滑り検出信号形成回路の詳細構成を示す略線的接続図である。
【図６】図５の滑り検出信号形成回路の等価回路を示す接続図である。
【図７】図１の滑り検出部材３の動作の説明に供する信号波形図である。
【図８】図１の滑り検出演算部３６の動作の説明に供するフローチャートである。
【図９】図８のステップＳＰ３における離散ウェーブレット変換処理の説明に供する信号波形図である。
【図１０】図１の滑り検出部材３の他の実施の形態の説明に供する略線図である。
【図１１】接触部材５としてステンレス材を用いた場合のウェーブレット変換処理の説明に供する信号波形図である。
【図１２】接触部材５として布材を用いた場合のウェーブレット変換処理の説明に供する信号波形図である。
【図１３】接触部材５として紙材を用いた場合のウェーブレット変換処理の説明に供する信号波形図である。
【図１４】接触部材５として木材を用いた場合のウェーブレット変換処理の説明に供する信号波形図である。
【図１５】接触部材５としてアクリル材を使用しかつ初期荷重２〔Ｎ〕及び滑り速度１０〔ｍｍ／ｓ〕とした場合のウェーブレット変換処理の説明に供する信号波形図である。
【図１６】図１５に対応させて、初期荷重４〔Ｎ〕及び滑り速度１０〔ｍｍ／ｓ〕にした場合のウェーブレット変換処理の説明に供する信号波形図である。
【図１７】図１５に対応させて、初期荷重３〔Ｎ〕及び滑り速度１〔ｍｍ／ｓ〕にした場合のウェーブレット変換処理の説明に供する信号波形図である。
【図１８】図１５に対応させて、初期荷重３〔Ｎ〕及び滑り速度５〔ｍｍ／ｓ〕とした場合のウェーブレット変換処理の説明に供する信号波形図である。
【発明を実施するための形態】
【００１０】
以下図面について、本発明の一実施の形態を詳述する。
【００１１】
（１）第１の実施の形態
図１において、１は全体として滑り検出装置を示し、接触受け部材２（例えばロボットハンドの人指し指）の表面に、シート状の滑り検出部材３が貼り付け固着されこれにより接触検出部７が形成されている。
【００１２】
接触受け部材２はこれと対向するように、押付け動作部材４（例えばロボットハンドの親指）によってアクリル材でなる接触部材５が挟み付け動作して来たとき、当該接触部材５の対向する表面に滑り検出部材３を介して挟み込み保持できるようになされている。
【００１３】
滑り検出部材３は、図２に示すように、感圧導電シート３Ａの一面に電極板シート３Ｂを一体に重ね合せ固着した構成を有し、電極板シート３Ｂが接触受け部材２上に接着されることにより、滑り検出部材３が接触受け部材２上に設けられる。
【００１４】
この状態において、感圧導電シート３Ａの上表面に接触部材５が接触してきたとき、接触部材５から感圧導電シート３Ａの上表面に対して、感圧導電シート３Ａを厚み方向に圧縮する法線方向力Ｆｎが付与されると共に、感圧導電シート３Ａの表面に感圧導電シート３Ａの面方向に接触部材５を滑らせる方向の接線方向力Ｆｔが付与される。
【００１５】
感圧導電シート３Ａは、図３に示すように、非導電性エラストマや合成ゴムである可撓性層本体１１中に、導電性粒子１２を分散させてなる変形導電性材料によって構成されている。
【００１６】
かくして感圧導電シート３Ａは、図３（Ａ）に示すように、接触部材５に対して法線方向力Ｆｎが付与されたとき、接触部材５と電極板シート３Ｂとの間において圧縮動作することにより可撓性層本体１１内に分散されている導電性粒子のうち、法線方向に接触する粒子が増大することにより、感圧導電シート３Ａの厚み内に多くの導電通路１３が生成されることにより、感圧導電シート３Ａの内部抵抗を減少させる状態になる。
【００１７】
この状態において、接触部材５に対して接線方向力Ｆｔが付与されて滑り始めると、図３（Ｂ）に示すように、可撓性層本体１１内において互いに離間する導電性粒子１２が増えることにより、感圧導電シート３Ａの内部抵抗が高くなる。
【００１８】
この実施の形態の場合、電極板シート３Ｂは、図４に示すように、絶縁基板２１の表面に導電性パターン層２２を付着させた構成を有する。
【００１９】
導電性パターン層２２の中央位置には、方形渦巻き状に形成された２本の電極パターン２３Ａ及び２３Ｂを有する電極パターン領域２４が設けられ、各電極パターン２３Ａ及び２３Ｂが電極パターン領域２４の外側に設けられた２つの端子パターン２５Ａ及び２５Ｂに接続されている。
【００２０】
電極パターン領域２４には、感圧導電シート３Ａがその下面に電極パターン２３Ａ及び２３Ｂが電気的に接続されるように固着されており、これにより感圧導電シート３Ａのうち、電極パターン２３Ａ及び２３Ｂに接続された部分間の電気抵抗の値を、端子パターン２５Ａ及び２５Ｂ間に導出できるようになされている。
【００２１】
かくして端子パターン２５Ａ及び２５Ｂ間には、感圧導電シート３Ａが、接触部材５によって変形されたとき、当該感圧導電シート３Ａ内に生ずる抵抗変化が、端子パターン２５Ａ及び２５Ｂ間に電気抵抗の変化として、滑り検出部材３から、端子２５Ａ及び２５Ｂに接続された検出信号導出線２６Ａ及び２６Ｂを介して外部に、検出信号Ｓ１として導出される。
【００２２】
この検出信号Ｓ１は、滑り検出信号形成回路３１（図１）の検出信号入力端子３２Ａ及び３２Ｂに供給される。
【００２３】
この実施の形態の場合、検出信号入力端子３２Ａは駆動直流電源３３の負極側に接続されるのに対して、検出信号入力端子３２Ｂは基準抵抗３４を介して駆動直流電源３３の正極側端子に接続される。
【００２４】
かくして滑り検出部材３に接続された滑り検出信号形成回路３１は、図６に示す等価回路を形成する。
【００２５】
図６の等価回路において、滑り検出信号形成回路３１の駆動直流電源３３の両端には、基準抵抗３４と滑り検出部材３によって形成される可変抵抗３Ｃの直列回路が接続され、かくして可変抵抗３Ｃの両端に得られる分圧電圧が滑り検出信号形成回路３１の滑り検出信号Ｖｐとして検出信号入力端子３２Ａ及び３２Ｂから導出される滑り検出信号出力端子３５Ａ及び３５Ｂに出力される。
【００２６】
かくして、滑り検出部材３の感圧導電シート３Ａの抵抗値が接触部材５から付与される法線方向力Ｆｎ及び接線方向力Ｆｔによって可変することにより、駆動直流電源３３の分圧電圧でなる滑り検出信号Ｖｐの値が、法線方向力Ｆｎ及び接線方向力Ｆｔの変化を表すことになる。
【００２７】
実験によれば、接触部材５から感圧導電シート３Ａに対して、図７（Ｃ）の特性曲線Ｋ１に示すように、時間ｔの経過に従って、法線方向に常に法線方向力Ｆｎを与えている状態において、特性曲線Ｋ２に示すように、接線方向力Ｆｔを時点ｔ０〜ｔ１の間Ｆｔ＝０の状態を維持した後、時点ｔ１〜ｔ２の間に接線方向力Ｆｔを徐々に大きくするようにしたところ、図７（Ｂ）の曲線Ｋ３のうち曲線Ｋ３２に示すように、接触部材５が時点ｔ＝ｔ２からｔ３の間において滑り変位を起こした。
【００２８】
このときの滑り検出部材３の検出信号Ｓ１に基づいて、滑り検出信号形成回路３１の出力端子３５Ａ及び３５Ｂ間に得られる滑り検出信号Ｖｐの値は、接触部材５がｔ＝ｔ２において滑り検出部材３に対して滑り出す時に、特異な電気的変化を生じ、当該滑り検出信号Ｖｐの特異な電気的変化をマイクロコンピュータ構成の滑り検出演算部３６が演算処理をすることにより確認する。
【００２９】
かくして滑り検出演算部３６は、滑り確認信号Ｓ２を得たとき、これを演算結果出力部３７に与えて、ユーザに対して、滑りの発生を確認できたことを知らせる。
【００３０】
以上の構成において、滑り検出演算部３６は、図７（Ａ）に示すような滑り検出部材３の動作を表す滑り検出信号Ｖｐに基づいて、その電気的変化の特異性を信号の演算処理に基づいて確認する。
【００３１】
図７に示す滑り検出部材３の動作の特徴は、滑り検出部材３に対する接触部材５に対する滑り動作の実験結果に基づいて検出をし得たものである。
【００３２】
図７（Ｃ）において、特性曲線Ｋ１で示すように、接触部材５によって滑り検出部材３の感圧導電シート３Ａに対して常時法線方向力Ｆｎを付与した状態において、時点ｔ＝ｔ０〜ｔ１間において接線方向力Ｆｔ＝０の状態から時点ｔ＝ｔ１〜ｔ２までの間に接線方向力Ｆｔを徐々に大きくしていったところ、図７（Ｂ）において特性曲線Ｋ３で示すように、時点ｔ＝ｔ２において接触部材５に滑りが生じ、ｔ＝ｔ３において当該滑り変位が停止した。
【００３３】
このような接触部材５の滑り変位に対して、滑り検出部材３の電極板シート３Ｂの検出信号導出線２６Ａ及び２６Ｂの検出信号Ｓ１に基づいて、滑り検出信号形成回路３１の出力端子３５Ａ及び３５Ｂ間に得られる滑り検出信号Ｖｐは、図７（Ａ）の特性曲線Ｋ４で示すように、時点ｔ＝ｔ２の直前から直後に至るまでの間に特異な高周波信号波形成分を発生した。
【００３４】
すなわち、時点ｔ＝ｔ０からｔ１までの間において図７（Ｃ）の特性曲線Ｋ１１及びＫ２１によって示すように法線方向力Ｆｎだけを付与している状態であって図７（Ｂ）の特性曲線Ｋ３１に示すように滑り変位が０であるとき、図７（Ａ）の特性曲線Ｋ４１で示すように滑り検出信号Ｖｐは法線方向力Ｆｎに基づく一定値を維持している。
【００３５】
やがて時点ｔ１〜ｔ２の区間において特性曲線Ｋ２２で示すように、接線方向力Ｆｔを徐々に大きくして行くと、特性曲線Ｋ３１で示すように滑り変位は０の状態を維持しているにも係わらず、滑り検出信号Ｖｐの値は急激に上昇すると共に、滑り開始時点ｔ＝ｔ２に近づくに従って激しく上下動を繰り返した後、滑り時点ｔ＝ｔ２においてピーク波形を呈するような変化をする。
【００３６】
やがて滑り時点ｔ＝ｔ２を過ぎると、特性曲線Ｋ３２で示すように、接触部材５がほぼ直線的に滑り変位をした後、特性曲線Ｋ３３で示すように、時点ｔ＝ｔ３において当該滑り変位を停止する。
【００３７】
このような滑り変位が変化している期間ｔ＝ｔ２〜ｔ３までの間においては、特性曲線Ｋ４３で示すように、滑り検出信号Ｖｐはピークの値から急激に低下して行くと共に、当該低下する曲線上に重畳している変動成分は極端に小さくなり、ｔ＝ｔ３において滑り変位が停止した後には、特性曲線Ｋ４４で示すように、上下動成分はほとんどなくなる。
【００３８】
この実験結果に基づいて、滑り検出演算部３６は、滑り検出信号Ｖｐに高周波成分が重畳し、しかもその上下動の変化幅が所定の閾値を超えたとき、接触部材５に滑り変位が発生する直前の状態にあることを判別する。
【００３９】
この実施の形態の場合、滑り検出演算部３６は滑り検出信号Ｖｐを離散ウェーブレット変換処理をすることにより、滑り変位が発生する直前の状態を検出する。
【００４０】
滑り検出演算部３６は、図８に示す滑り検出処理手順ＲＴ１によって、滑り検出信号Ｖｐから滑り確認信号Ｓ２を形成する。
【００４１】
滑り検出演算部３６の中央処理ユニット（ＣＰＵ）は、滑り検出処理手順ＲＴ１に入ると、ステップＳＰ１においてユーザから処理開始命令が与えられるのを待ち受けた後、ステップＳＰ２から離散ウェーブレット変換処理を実行する。
【００４２】
滑り検出演算部３６のＣＰＵは、ステップＳＰ２において、滑り検出信号Ｖｐを５０〔Ｈｚ〕で５０個のサンプルを計測した後、ステップＳＰ３に移って５０個のサンプルについて次式
【００４３】
【数１】
2010271242.tif 000003
【００４４】
によって離散ウェーブレット変換を実行する。
【００４５】
ただし（１）式のΨＨ（ｘ）はＨａａｒのウェーブレットで、
【００４６】
【数２】
2010271242.tif 000004
【００４７】
の関係をもつ。
【００４８】
上記（１）式及び（２）式において、ｘは時間ｔに対応し、上記ステップＳＰ３における離散ウェーブレット変換は、次式
【００４９】
【数３】
2010271242.tif 000005
【００５０】
のように、時間ｔを
【００５１】
【数４】
2010271242.tif 000006
【００５２】
のように高い周波数の範囲に特定することにより、滑り検出信号Ｖｐにおいて時間の経過に従って高周波成分の発生及びその大きさを離散ウェーブレット変換出力Ｄ１（ｘ）として求める。
【００５３】
かくして滑り検出演算部３６のＣＰＵは、離散ウェーブレット変換出力Ｄ１（ｘ）を得ることにより、滑り検出信号Ｖｐから高周波成分を抽出した結果が得られる。
【００５４】
図９（Ｂ）は、図９（Ａ）の滑り検出信号Ｖｐを離散ウェーブレット変換処理した結果得られたウェーブレット係数をプロットしたものである。
【００５５】
図９によれば、接触部材５の滑り変位が発生する時点ｔ＝ｔ２の直前にウェーブレット係数Ｄ１（ｘ）が最大値になっており、従ってこのとき滑り検出信号Ｖｐには大きな値の高周波成分が多く含まれていることが分かる。
【００５６】
滑り検出演算部３６のＣＰＵは続くステップＳＰ４においてウェーブレット係数Ｄ１（ｘ）の最大値及び最小値の差（すなわちピーク対ピークの値）Ｄｐｐを計算した後、ステップＳＰ５において当該ピーク対ピークの値Ｄｐｐが閾値ａより大きいか否かの判断をする。
【００５７】
このステップＳＰ５において肯定結果が得られると、このことは接触部材５が滑り変位が発生する時点ｔ＝ｔ２の直前において接触部材５が部分的な滑りを発生しており（これを初期滑りと呼ぶ）、その後直ちに接触部材５の滑り変位が開始することを予知できたことを意味する。
【００５８】
このとき滑り検出演算部３６のＣＰＵはステップＳＰ６に移って滑り確認信号Ｓ２を演算結果出力部３７に送出する。
【００５９】
このとき演算結果出力部３７は例えばＬＥＤを点灯させるなどの表示動作をすることにより、滑りの発生をユーザに知らせた後、上述のステップＳＰ２に戻って新たなサンプル計測処理を続ける。
【００６０】
これに対してステップＳＰ５において否定結果が得られると、このことは接触部材５に初期滑りが発生していないことを意味し、このとき滑り検出演算部３６のＣＰＵはステップＳＰ７において、ユーザが滑り検出処理終了命令を入力したか否かの判断をし、否定結果が得られたとき上述のステップＳＰ２に戻って新たなサンプル計測動作に入る。
【００６１】
これに対して、ステップＳＰ７において肯定結果が得られると、滑り検出演算部３６はステップＳＰ８に移って当該滑り検出処理手順ＲＴ０の処理を終了する。
【００６２】
以上の構成において、接触受け部材２の表面に設けられた滑り検出部材３に対して接触部材５が接触することにより、感圧導電シート３Ａに生ずる抵抗値変化に基づいて滑り検出信号形成回路３１から滑り検出信号Ｖｐ（図９（Ａ））が得られると、滑り検出演算部３６のＣＰＵは滑り検出処理手順ＲＴ１（図８）を実行することにより、滑り検出信号Ｖｐに含まれる高周波成分の変化に基づいて初期滑りの発生を検出すべく、ステップＳＰ２−ＳＰ３−ＳＰ４−ＳＰ５−ＳＰ７−ＳＰ２のループによって滑り検出処理を実行する。
【００６３】
やがて滑り検出演算部３６が、ステップＳＰ５においてウェーブレット係数Ｄ１（ｘ）のピーク対ピーク値Ｄｐｐが閾値ａを超えたと判断したときＣＰＵはステップＳＰ６において滑り確認信号Ｓ２を演算結果出力部３７に出力する。
【００６４】
このとき接触部材５は滑り検出部材３に対する滑り変位を発生する直前の初期滑り状態にあり、かくして滑り検出装置１は滑り変位が発生する直前に初期滑り状態になったことを予め予知することができる。
【００６５】
上述の構成によれば、接触受け部材２に接触部材５が接触して滑りが発生する直前において、滑り検出装置１がこれを初期滑りの発生として予め予知する（すなわち滑り予知動作をする）ことができるので、ユーザが当該滑り予知に基づいて、例えば接触部材５に対する把持力を増加させることにより滑り変位の発生を予め防止したりすることにより当該接触部材５の取り落としを防ぐような処理をすることができる。
【００６６】
かくするにつき、上述の実施の形態によれば、滑り検出部材３として、図２に示すように、電極板シート３Ｂ上に感圧導電シート３Ａを設けた簡易かつ小型、薄型の構成によって実現できる。
【００６７】
（２）他の実施の形態
（２−１）上述の実施の形態においては、滑り検出部材３として、図２及び図４について上述したように、図１０（Ｂ）に示すように、感圧導電シート３Ａの片面に２つの電極パターン２３Ａ及び２３Ｂを設けるようにしたが、電極板シート３Ｂの設け方はこれに限らず、図１０（Ａ）に示すように、感圧導電シート３Ａの両面にそれぞれ１枚の電極パターン３ＢＸ及び３ＢＹを設けたり、図１０（Ｃ）に示すように、一面側に２枚の電極パターン２３Ａ及び２３Ｂを設けると共に、他面に一枚の電極パターン３ＢＺを設けるようにしても良い。
【００６８】
このように電極板シート３Ｂとしては、感圧導電シート３Ａに対して法線方向力Ｆｎ、及ぶ接線方向力Ｆｔが付与されたとき、これに応じて変化する抵抗値を感圧導電シート３Ａから導出できるようにすれば良い。
【００６９】
（２−２）上述の実施の形態においては、滑り検出信号形成回路３１から得られる滑り検出信号Ｖｐに滑り変位発生直前に生ずる高周波成分を初期滑りを表す信号を、上述の（１）式及び（２）式によって表される離散ウェーブレット変換を用いるようにしたが、次式
【００７０】
【数５】
2010271242.tif 000007
【００７１】
によって表される連続ウェーブレット変換を用いるようにしても良い。
【００７２】
この連続ウェーブレット変換は、滑り検出信号Ｖｐを詳細に周波数解析する場合に適用して好適であり、いつ、どのような周波数が、どの位の強度をもって起こっているかを調べるときに用いる。
【００７３】
ただし、連続ウェーブレット変化は計算量が多く、上述の実施の形態において用いた離散ウェーブレット変換の方が、高速処理に適している。
【００７４】
因に、上述の実施の形態において用いた離散ウェーブレット変換は、滑り検出信号Ｖｐを周波数解析するというよりは、滑り検出信号Ｖｐを高周波成分と低周波成分とに分解するという処理に近い。
【００７５】
上述の実施の形態においては、離散ウェーブレット変換によって滑り検出信号Ｖｐを高周波成分と低周波成分に分解し、当該高周波成分を用いて詳記滑りの検出を行ったものである。
【００７６】
（２−３）上述の実施の形態においては、滑り検出信号Ｖｐから高周波成分を抽出する際に離散ウェーブレット変換による信号処理を用いるようにしたが、当該離散ウェーブレット変換を行うことは、実質上ハイパスフィルタを通過させたことと等価である。
【００７７】
従って、離散ウェーブレット変換に代えて、例えばＦＩＲフィルタや、ＩＩＲフィルタなどによってカットオフ周波数１〔ｋＨｚ〕以上のハイパスフィルタあるいはこれに相当するバンドパスフィルタを用いても、上述の場合と同様の効果を得ることができる。
【００７８】
（２−４）上述の実施の形態においては、滑り検出部材３に接触する接触部材５としてアクリル材を用いた場合について述べたが、接触部材５の材質としてはアクリル材に限らず、図１１、図１２、図１３又は図１４に示すように、ステンレス材、布材、紙材又は木材を用いても、滑り検出信号Ｖｐにはそれぞれ滑り変位発生期間において高周波成分ＶｐＸが発生すると共に、滑り開始時点ｔ１＝ｔ２曲線において初期滑りを表す高周波成分ＶｐＹが生ずることが確認できた。
【００７９】
これに伴って、図１１（Ｂ）、図１２（Ｂ）、図１３（Ｂ）又は図１４（Ｂ）に示すように、図９について上述したと同様に、ウェーブレット係数Ｄ１（Ｘ）に滑りに伴う高周波成分Ｄ１（Ｘ）Ｘが得られると共に、初期滑りに対応する高周波成分Ｄ１（Ｘ）Ｙが生ずる。
【００８０】
従って、接触部材５の材質を変更した場合にも、図９について上述したと同様に、滑り変位が発生する直前に初期滑りが生じていることを確実に検出することができる。
【００８１】
（２−５）図９について上述したように、接触部材５がアクリル材のときに初期滑りの検出ができた。
【００８２】
当該アクリル材を用いた場合において、初期荷重と滑り速度を変更した場合にも、図１５、図１６、図１７又は図１８に示すように、初期滑りの検出をすることができる。
【００８３】
因に、図１５（Ａ）、図１６（Ａ）、図１７（Ａ）又は図１８（Ａ）の場合は、それぞれ初期荷重２〔Ｎ〕及び滑り速度１０〔ｍｍ／ｓ〕、初期荷重４〔Ｎ〕及び滑り速度１０〔ｍｍ／ｓ〕、初期荷重３〔Ｎ〕及び滑り速度１〔ｍｍ／ｓ〕又は初期荷重３〔Ｎ〕及び滑り速度５〔ｍｍ／ｓ〕の場合も、それぞれ滑り検出信号Ｖｐにおいて滑り変位発生時の高周波成分ＶｐＸと、初期滑り発生時の高周波成分ＶｐＹが発生し（図１５（Ｂ）、図１６（Ｂ）、図１７（Ｂ）又は図１８（Ｂ））、これに伴ってウェーブレット係数Ｄ１（Ｘ）に、滑り変位発生時の高周波成分Ｄ１（Ｘ）Ｘと、初期滑りに伴う高周波成分Ｄ１（Ｘ）Ｙが発生しているので、いずれの場合も図９について上述したと同様に、滑り変位発生時点ｔ＝ｔ２の直前に発生する初期滑りを確実に検出することができる。
【００８４】
（２−６）上述の実施の形態による滑り検出装置及び方法は、次のような用途に適用し得る。
【００８５】
（２−６−１）ロボットハンドによる把持動作
上述の滑り検出装置は、柔軟・薄型・軽量という特徴を有することから、ロボットハンドの指先という小さな面に配置することが可能である。必要であれば、掌などの広い範囲にセンサを配置することも可能である。上述の滑り検出装置を装着することにより、ロボットにハンドの指が物体に触れた、という感覚を与えることができる。また、初期滑りの検出が可能であるため、指先で物体が滑りそうになったことを検知し、把持力を調節することによって、物体の滑りを防止することが可能である。また、物体の重量や摩擦係数が変化した場合においても、この「滑り」という感覚を用いることによって、適切な把持力（強すぎず、弱すぎない力）で把持を実現することができる。
【００８６】
（２−６−２）義手への応用（触覚フィードバック）
すでに述べたように、「滑り」という感覚は、「物体を持つ」という動作を行う際、あるいは道具を扱うなど、器用なハンドリング動作を実現するために無くてはならない感覚である。これまでに、接触力を検出可能なセンサを義手に取り付け、これをフィードバックするという試みはなされている。しかしながら、柔らかい紙コップを持つときなど、物体をつかめているかを視覚で確認する必要があり、ある程度慣れるまでに労力と時間を費やしてしまう。つまり、把持物体によって重量や摩擦係数などが異なるため、自分がどのくらいの力を発揮しているかがわかっても、物体を確実につかめているかを知ることができない。そこで、「物体の滑り」を上述の実施の形態による滑り検出装置によって検出し、フィードバックすれば、物体を滑り落さずに、握りつぶさずに力を加減して持つことができる。
【００８７】
（２−６−３）入力装置、インターフェース
上述の滑り検出装置は、接触および初期滑りを検出できる。したがって、これを入力装置として用いた場合、指でボタンを押す、という動作、横方向に指がスライドした、という動作を検出することができる。また、上述の滑り検出装置とＣｏＰを検出可能なセンサを組み合わせれば、指がどの方向にスライドした、ということもわかるため、携帯電話などの小型機器におけるマウスカーソルの移動などにも利用可能と考えられる。
【産業上の利用可能性】
【００８８】
本発明は、ロボットのハンドのように、接触受け部材に対して接触部材が接触するような場合に、その初期滑りを検出するために利用することができる。
【符号の説明】
【００８９】
１……滑り検出装置、２……接触受け部材、３……滑り検出部材、３Ａ……感圧導電シート、３Ｂ……電極板シート、４……押付け動作部材、５……接触部材、７……接触検出部、２１……絶縁基板、２２……導電性パターン層、２３Ａ、２３Ｂ……電極パターン、２４……電極パターン領域、２５Ａ、２５Ｂ……端子パターン、２６Ａ、２６Ｂ……検出信号導出線、３１……滑り検出信号形成回路、３２Ａ、３２Ｂ……検出信号入力端子、３３……駆動直流電源、３４……基準抵抗、３５Ａ、３５Ｂ……滑り検出信号出力端子、３６……滑り検出演算部、３７……演算結果出力部。
【図１】
2010271242.tif 000008
【図２】
2010271242.tif 000009
【図３】
2010271242.tif 000010
【図４】
2010271242.tif 000011
【図５】
2010271242.tif 000012
【図６】
2010271242.tif 000013
【図７】
2010271242.tif 000014
【図８】
2010271242.tif 000015
【図９】
2010271242.tif 000016
【図１０】
2010271242.tif 000017
【図１１】
2010271242.tif 000018
【図１２】
2010271242.tif 000019
【図１３】
2010271242.tif 000020
【図１４】
2010271242.tif 000021
【図１５】
2010271242.tif 000022
【図１６】
2010271242.tif 000023
【図１７】
2010271242.tif 000024
【図１８】
2010271242.tif 000025